(57)【要約】【課題】  本発明は、ポケットティッシュを、カートンに収容されたティッシュと同様に使用することができる、ティッシュ用の収納ケースを提供することを目的とする。【解決手段】  本発明は、ティッシュを取り出すための開口部を有する天面部と、一対の長手方向側面部と、一対の短手方向側面部とで構成される、ティッシュ用の収納ケースであって、収納ケースは、カートンの外面を覆う構造を有し、かつ天面部は、ポケットティッシュを保持することができる保持部を有することを特徴とする、ティッシュ用の収納ケースを提供する。【選択図】      図1
2011111203.tif 000002
【特許請求の範囲】
【請求項１】
ティッシュを取り出すための開口部を有する天面部と、
一対の長手方向側面部と、
一対の短手方向側面部と、
で構成される、ティッシュ用の収納ケースであって、
前記収納ケースは、カートンの外面を覆う構造を有し、かつ、
前記天面部は、ポケットティッシュを保持することができる保持部を有することを特徴とする、ティッシュ用の収納ケース。
【請求項２】
前記保持部が、前記天面部のカートンと接する側に取り付けられていることを特徴とする、請求項1に記載のティッシュ用の収納ケース。
【請求項３】
前記保持部が、前記天面部のカートンと接する側に取り付けられた弾性体であることを特徴とする、請求項1に記載のティッシュ用の収納ケース。
【請求項４】
前記保持部が、前記天面部のカートンと接する側に取り付けられたクリップであることを特徴とする、請求項1に記載のティッシュ用の収納ケース。
【請求項５】
前記天面部に取り付けられた前記保持部が、複数のポケットティッシュを保持することができることを特徴とする、請求項1〜4のいずれか1項に記載のティッシュ用の収納ケース。
【発明の詳細な説明】
【技術分野】
【０００１】
本発明は、ポケットティッシュを収納することができ、かつカートンに収納されたティシュを収納することができるティッシュ用の収納ケースに関する。より詳細には、本発明は、ポケットティッシュを、カートンに収容されたティッシュと同様に使用することができるティッシュ用の収納ケースに関する。
【背景技術】
【０００２】
ティッシュは、ポケットティッシュやカートンと呼ばれる厚紙で作られた直方体の箱に収納された形態などで流通されている。上記のようにカートンに収納された形態ティッシュの場合、カートンの外面には、その商品名を示す文字などのデザインが施されている。しかし、外面のデザインが消費者の好みに合わない場合もある。
【０００３】
そこで、以前より、種々のカートンカバーが販売されている。カートンカバーは、種々の材料から作製されたものが市販されており、また種々のデザインが施されたものが知られている。これらは、ティシュペーパーを収納したカートンの外観を改善することに重きをおいた製品である。
【０００４】
また、その他にも、壁に掛けたり、取り付けたりすることができるように、紐、フックおよびストラップなどを備えたカートンカバーも知られている。たとえば、特許文献1には、カートンを覆い易く、覆った後に通常の持ち運びに際してはカートンから外れ難く、それでいてカートン使用終了後には簡単にカートンを外し得るカートンカバーが開示されている。
【０００５】
一方、ポケットティッシュは、通常複数枚のティッシュペーパーが折り畳まれて、小さな袋状の入れものの中に封止されている。このポケットティッシュの袋には、その中央に長手方向の引き剥がし線が設けられおり、その両側を互いに反対方向へ引くことにより、引き剥がし線が簡単に破れて引出口が形成されるようになっている。そして、このようなポケットティッシュは、携帯に便利であることから、衣服のポケットやカバンの中に収納して使用されている。
【０００６】
ポケットティッシュは、携帯できる大きさであることから、そのまま放置されたり、適当な大きさの箱の中にしまわれたりされることも多い。このように、ポケットティッシュを部屋に放置したままであったり、箱の中に無造作にしまっておいたままであったりすると、使い勝手が悪いと共に、整理整頓の観点からも好ましくない。
【０００７】
そこで、ポケットティッシュを収納するケースとして、数多くの収納ケースが開発されている。このような収納ケースの例としては、ポケットティッシュの形状に合わせて作成された収納ケースが数多く知られている。たとえば、ポケットティッシュを覆うような形状を有する収納ケースであって、収納ケースの上面には、ポケットティッシュの引出口に対応するようにティッシュペーパーの取出口が設けられている収納ケースが知られている。
【０００８】
また、1つのポケットティッシュだけでなく、複数個のポケットティッシュを重ねて収納できるように、所定の厚さを有するポケットティッシュ用の収納ケースも知られている。たとえば、複数個のティッシュペーパーが入ったままのポケットティッシュを多段に積み重ねた状態で収納しておき、最上段のポケットティッシュから順にティッシュペーパーを引き出すことができるようにしたポケットティッシュケースがある。このようなポケットティッシュ用ケースも、ポケットティッシュの形状に合わせて設計されている。
【０００９】
特許文献2、特許文献3および特許文献4のように、ポケットティッシュを取り出しやすくすること、ポケットティッシュが変形しないこと、また複数個のポケットティッシュを重ねて収納することなどを目的として、種々のポケットポケットティッシュ用ケースが開発されている。たとえば、特許文献2に開示されたポケットティッシュ用の収納ケースは、上面の蓋にティッシュ取出口を設けたケース本体内に複数のポケットティッシュを複数個積み重ねて収納するケース本体と、ケース本体の下部に配置され押上板を介して積み重ねられたポケットティッシュを押し上げるように作用するコイルバネとからなっている。また、特許文献3に開示されたポケットティッシュ用の収納ケースは、上記特許文献2に開示された収納ケースと同様に、弾力性を有する押し上げ部材を介してポケットティッシュを押し上げるように作用する。また、特許文献4に開示されたポケットティッシュ用の収納ケースは、スライド自在な状態の押板を介してポケットティッシュを押し出すように作用する。
【００１０】
上記のポケットティッシュ用ケースは、いずれも上記の通り、ポケットティッシュの形状に合わせて作成されている。
【００１１】
一方、ポケットティッシュを収納することができると共に、カートンに収納されたティッシュを収納することができるティッシュ用の収納ケースも開発されている。たとえば、特許文献5には、収納ケースの内部空間が3つに分割されており、この内部空間にポケットティッシュを3列に収容することができる、ティッシュ用の収容ケースが開発されている。
【００１２】
上記のようなポケットティッシュ用の収納ケースが開発されているにもかかわらず、ポケットティッシュは、見栄えが悪いことや、取り出す際に不便であることなどの原因により、ポケットティッシュは、カートンに収容されたティッシュのように家庭で使用されることが少なく、携帯用として利用されることが多い。
【先行技術文献】
【特許文献】
【００１３】
【特許文献１】特開２００８−２０７８３４号公報
【特許文献２】特開２０００−６２８６７号公報
【特許文献３】特開平９−１０４４８３号公報
【特許文献４】特開２００１−２７８３６７号公報
【特許文献５】特開２００８−２０７８３４号公報
【発明の概要】
【発明が解決しようとする課題】
【００１４】
上記状況を鑑み、本発明は、ポケットティッシュを、カートンに収容されたティッシュと同様に使用することができる、ティッシュ用の収納ケースを提供することを目的とする。
【課題を解決するための手段】
【００１５】
すなわち、本発明は、ティッシュを取り出すための開口部を有する天面部と、一対の長手方向側面部と、一対の短手方向側面部とで構成される、ティッシュ用の収納ケースであって、収納ケースは、カートンの外面を覆う構造を有し、かつ天面部は、ポケットティッシュを保持することができる保持部を有することを特徴とする、ティッシュ用の収納ケースを提供する。
【００１６】
また、本発明は、上記保持部が天面部のカートンと接する側に取り付けられていることを特徴とする、上記ティッシュ用の収納ケースを提供する。
【００１７】
また、本発明は、保持部が天面部のカートンと接する側に取り付けられた弾性体であることを特徴とする、上記ティッシュ用の収納ケースを提供する。
【００１８】
また、本発明は、上記保持部が、天面部のカートンと接する側に取り付けられたクリップであることを特徴とする、上記ティッシュ用の収納ケースを提供する。
【００１９】
また、本発明は、上記天面部に取り付けられた保持部が、複数のポケットティッシュを保持することができることを特徴とする、上記ティッシュ用の収納ケースを提供する。
【発明の効果】
【００２０】
本発明のティッシュ用の収納ケースによれば、ポケットティッシュを収納することができ、かつカートンに収納されたティシュを収納することができる。また、本発明のティッシュ用の収納ケースによれば、ポケットティッシュを、カートンに収容されたティッシュと同様に使用することができる。
【図面の簡単な説明】
【００２１】
【図１】本発明のティッシュ用の収納ケースの一実施態様の下方からの斜視図を示す図。
【図２】本発明のティッシュ用の収納ケースの一実施態様の天面部の下方からの平面図を示す図。
【図３】本発明のティッシュ用の収納ケースの一実施態様の天面部の下方からの平面図を示す図。
【図４】本発明のティッシュ用の収納ケースの一実施態様をカートンのみに使用した例を示す図。
【図５】本発明のティッシュ用の収納ケースの一実施態様をポケットティシュに使用した例を示す図。
【図６】本発明のティッシュ用の収納ケースの一実施態様をポケットティシュに使用した場合の、天面部の下方からの平面図を示す図。
【発明を実施するための形態】
【００２２】
以下、本発明のティッシュ用の収納ケースについて、図面を参照しながら説明する。本発明のティッシュ用の収納ケースは、これらの図面に示された態様に限定されるわけではない。
【００２３】
図1は、本発明のティッシュ用の収納ケースの一例を示す図である。発明のティッシュ用の収納ケース1を下方（裏面）からみた斜視図である。収納ケース1は、天面部2と、一対の長手方向側面部3Aおよび3Bと、一対の短手方向側面部4Aおよび4Bとで構成される。天面部2は、ティッシュを取り出すための開口部5を有する。また、天面部2は、ポケットティッシュを保持することができる保持部6を有する。
【００２４】
本明細書において、ティッシュとは、ティッシュペーパーおよびちり紙と同義的に使用され、一般的な家庭用薄葉紙をいう。家庭用薄葉紙には、ティシュペーパー、顔ふき紙、化粧紙、ちり紙、ペーパータオル、キッチンペーパーおよびトイレットペーパーなどの種々の名称および用途の紙を含む。また、上記ティッシュは、通常カートンに収容されて流通されることが多い。カートンとは、厚紙で作られた直方体の箱をいう。また、カートンに収容されたティッシュは、ボックスティッシュとも呼ばれる。
【００２５】
また、本明細書において、ポケットティッシュとは、通常複数枚のティッシュが折り畳まれて、小さな袋状の入れものの中に封止された形状を有するものをいう。このポケットティッシュの袋には、その中央に長手方向の引き剥がし線が設けられおり、その両側を互いに反対方向へ引くことにより、引き剥がし線が簡単に破れて引出口が形成されるようになっている。このポケットティッシュは、携帯用であり、おおよそ幅80〜120mm×長さ110〜130mm×高さ5〜15mm程度のサイズを有することが多い。
【００２６】
本発明のティッシュ用の収納ケースは、天面部2と、一対の長手方向側面部3Aおよび3Bと、一対の短手方向側面部4Aおよび4Bとにより、ティッシュが収容されているカートンの外面を覆う構造を有し、カートンカバーとして機能し得る。すなわち、カートンの上面を天面部2が覆い、側面を長手方向側面部および短手方向側面部を覆う構造を有する。しかし、本発明のティッシュ用の収納ケースは、必ずしもカートンの全体を覆う必要はなく、カートンの一部を覆う構造であってもよい。たとえば、長手方向側面部および短手方向側面部の一部を有していない構造を有していてもよい。
【００２７】
上記のとおり、収納ケースがカートンカバーとして機能するように、本発明のティッシュ用の収納ケースは、カートンをカバーすることができるサイズを有する。たとえば、市販されているカートンの多くは、おおよそ幅110〜130mm×長さ220〜250mm×高さ30〜70mm程度のサイズであるため、これらのカートンひと回り大きなサイズを有する。具体的には、幅、長さ、および高さのそれぞれについて、カートンよりも1〜3mm程度大きなサイズを有する。
【００２８】
本発明のティッシュ用の収納ケースは、いずれの材料を使用して形成することもできる。たとえば、本発明のティッシュ用の収納ケースは、種々の素材の布、紙、高分子化合物、樹脂、木材および金属などを使用して形成することもできる。さらに、本発明のティッシュ用の収納ケースは、複数種類の材料を組み合わせて作製することもできる。たとえば、天面部2にはプラスチックなどの硬い材料を使用すると共に、一対の長手方向側面部3Aおよび3Bと一対の短手方向側面部4Aおよび4Bには、布などの柔らかい材料を使用してもよい。本発明のティッシュ用の収納ケースは、使用される材料に応じて、適切な方法を使用して、上記天面部2、一対の長手方向側面部3Aおよび3B、並びに一対の短手方向側面部4Aおよび4Bを組み立てることができる。たとえば、材料が布である場合、それぞれの部材を縫い合わせることによって作製することができる。
【００２９】
次に、本発明のティッシュ用の収納ケース1の保持部6について詳細を説明する。保持部6は、ポケットティッシュを保持することができる形状であれば、任意の構造を有することができる。たとえば、図1に示したように、天面部2に対して取り付けられた紐などであることができる。図1では、保持部6の長手方向の両端を天面部2に対して取り付けてあり、この一対の紐状の保持部6にポケットティッシュを挟むことによってポケットティッシュを保持することができる。また、保持部6は、ゴムやバネなどの伸縮性の弾性体であることができる。保持部6が弾性体である場合、ポケットティッシュの厚さに応じて伸縮することができるため、適切にポケットティッシュを保持することができる。
【００３０】
また、保持部6は、図1に示した構造だけでなく、図2に示したようなクリップ形状などの種々の構造を有することができる。図2では、天面部2の開口部5の両側にクリップ形状の保持部6が取り付けてあり、この一対のクリップ形状の保持部6にポケットティッシュを挟むことによってポケットティッシュを保持することができる。
【００３１】
また、図1および2において、保持部6は、天面部2のカートンと接する側に取り付けられているが、天面部2のいずれの側に取り付けられていてもよい。しかし、天面部2のカートンと接する側に取り付けられている構造であれば、ポケットティッシュを保持部6保持したときに外観上ポケットティッシュが見えないので、カートンと接する側に取り付けられる構造が好ましい。
【００３２】
また、保持部6は、使用される材料に応じて、適切な方法を使用して、天面部2に取り付けることができる。たとえば、材料が布である場合、それぞれの部材を縫い合わせることによって作製することができる。また、保持部6がクリップなどの硬い材質である場合、接着剤などを使用して天面部2に貼り付けることができる。
【００３３】
一方、天面部2の開口部5は、ティッシュを取り出すことができる形状であれば、どのような形状を有していてもよい。たとえば、図1および2に示したように、天面部2に作製された単なる切り込みの形状であってもよい。また、図3に示したように、ティッシュを取り出すことが容易になるように大きな開口部の形状であってもよい。
【００３４】
図4は、本発明のティッシュ用の収納ケース1をカートン10のみに使用した例を示す図である。この場合、本発明のティッシュ用の収納ケース1は、通常のカートン10のカバーとして使用することができる。カートン10に収容されたティッシュ11は、開口部5を介して引き出して使用される。
【００３５】
一方、図5は、本発明のティッシュ用の収納ケース1をポケットティシュ12に使用した例を示す図である。この場合、実際には、本発明のティッシュ用の収納ケース1の内側にポケットティッシュ12を収納しているにもかかわらず、外観上は、通常のカートン10に収納されたティッシュ11を使用しているように見える。ポケットティシュ12に収容されたティッシュ11は、開口部5を介して引き出して使用される。また、ポケットティシュ12が、カートン10と収納ケース1の天面部2によって挟まれることにより、安定してティッシュ11を取り出すことができる。
【００３６】
図6は、図5に示したように収納ケース1にポケットティッシュ12を収納したとき際の、天面部2の内側からみた平面図を示す。ポケットティッシュ12は、保持部6によって保持されている。また、使用後は、容易に交換することができる。
【００３７】
上記のように、本発明のティッシュ用の収納ケースによれば、ポケットティッシュを、カートンに収容されたティッシュと同様に使用することができる。
【符号の説明】
【００３８】
1・・・ティッシュ用収納ケース
2・・・天面部
3A・・・長手方向側面部
3B・・・長手方向側面部
4A・・・短手方向側面部
4B・・・短手方向側面部
5・・・開口部
6・・・保持部
10・・・カートン
11・・・ティッシュ
12・・・ポケットティッシュ
【図１】
2011111203.tif 000003
【図２】
2011111203.tif 000004
【図３】
2011111203.tif 000005
【図４】
2011111203.tif 000006
【図５】
2011111203.tif 000007
【図６】
2011111203.tif 000008